(57)【要約】      （修正有）【課題】人間が食という文化を作り上げて来た中でも、人間だけにしか出来ない火を使う毎日の調理という重要なパートに必要なガスコンロ（ゴトク含む）、だから汚れる。この毎日の調理汚れ、特にガスコンロ内部、細部にまで入り込んでしまう不使用なガスコンロへの油や調理くずの飛び散りの無意味な清掃から開放され、精神的ストレスを軽減するカバーキャップを提供する。【解決手段】金属等の不燃性素材を使ったガスコンロカバーキャップで各々の不要なガスコンロ（ゴトクを含む）を覆い被せることにより、油や調理くずの飛び散りがガスコンロ内部に入り込むことやガスコンロ自体やゴトクに油や調理くずが付着するのを防ぐ。清掃を怠ると次回調理する時には経過時間と熱でこびり付き落ちにくくなることを軽減し、劣化も防げる。また複雑な内部までの掃除をしなければならず憂鬱になる無意味な時間から開放される。【選択図】図１
0003150737.tif 000002
【実用新案登録請求の範囲】
【請求項１】
ガスコンロの五徳に覆いかぶせる。深さをもったガスコンロキャップ
【請求項２】
ガスコンロに覆いかぶせる深さをもったガスコンロキャップにおいて、収納用穴を有する取っ手を外周部に設けたことを特徴とするガスコンロキャップ
【請求項３】
下端部に磁石を有する円筒状の外ケースと外ケースの中に挿入するスライダーと、当該外ケースの上に位置し、スライダーを摺動自在に付勢するスプリングとによって構成されたガスコンロキャップの移動具
【請求項４】
針金状部材によって構成され、ガスコンロキャップを立てかけて収納することを目的としたガスコンロキャップ収納ラック
【考案の詳細な説明】
【技術分野】
【０００１】本考案は、不使用時のガスコンロ（ゴトク含む）を覆い被す事を目的としたカバーであり、調理くずや飛散した油等の侵入を防ぐためのものである。
【背景技術】
【０００２】家庭用のガスコンロはガスバーナー口が開放されている為、使用していないガスコンロ口（ゴトク含む）に調理中に油や調理くずが飛びコンロ内に入り込んでしまう。清潔にし劣化をさせないためには、毎日、調理する度に入り込んでしまった調理くずを取り除き、油をふき取らなければならず、それを怠ると次回調理する時にはこびり付いてしまう。使用しないガスコンロ内とゴトクに調理くずや油が入ってしまうことやこびり付いてしまうことは、不本意であり、その清掃は大変な労力と時間の無駄であり主婦の手を煩わせストレスを溜めさせ、機器の劣化を早める。
【考案の開示】
【考案が解決しようとする課題】
【０００３】毎日の調理時に使用するガスコンロ以外の使用していないガスコンロ内（ゴトク含）に調理くずや油の飛び散りなどからくる汚れの掃除など主婦等の労力や精神的ストレスを軽減し、ガスコンロの劣化を防ぎたい。
【課題を解決するための手段】
【０００４】毎日の調理時に、使用するガスコンロ以外の使用していないガスコンロ（ゴトク含）にカバーキャップをし、不使用ガスコンロ（ゴトクを含む）を調理くずや油の飛び散りから守る。
【考案の効果】
【０００５】使用していないガスコンロ（ゴトク含む）をカバーキャップで完全に覆い、使用しているところからの調理くずや油が中に入り込むことがなく、調理後の掃除が軽減され煩わしい清掃から開放されストレスが溜まらない、またガスコンロの劣化が防げる。
【考案を実施するための最良の形態】
【０００６】以下、本考案の実施の形態を説明する。
（イ）  図１は調理用のガステーブルＡに設けられた家庭用ガスコンロ２に本考案に係るガスコンロキャップ１を装着した図である。一般的なコンロは２口もしくは３口であり、本考案のガスコンロキャップ１はそのどちらのガスコンロにも適応する様に大小２種類のサイズからなるコンロキャップである。このガスコンロキャップ１ａ，１ｂ，１ｃは、五徳３の上部を覆いかぶす構造になっている。
（ロ）  図２は、本考案によるガスコンロキャップ１の構造を示す。ガスコンロキャップ１は（ｂ）に示すように、やや深さをもった構造になっており、底部４が五徳にかぶせた際に五徳上部に接するようになっている。（図３参照）
（ハ）  図４はガスコンロキャップ５の外周部５ａに取っ手５ｂを設けた構造をしており、この取っ手５ｂに設けられた穴５ｃを図５に示すように壁等に施設したフック６に掛けておくことにより収納することが出来る。
（ニ）  図６は本考案にかかるガスコンロキャップ１の別態様を示すものであり、ガステーブルＡ上に施設されているガスコンロ１を全て多いかぶす形状をしている。（ａ），（ｂ）はフライパンを伏せた様な形状であり（ｃ）は角型にしたものである。ガスコンロをすっぽり覆うことにより、ガスコンロキャップ下部からの調理くずや油かすの回り込みを防ぐことが出来る。（図７参考）
（ホ）  図８は調理用ガステーブルＡの放熱口１５を覆うためのキャップである。
この放熱口キャップ１４は（ａ）に示すように放熱口の形状に適応した細長状カバーであり、（ｂ）は長さの異なる放熱口にも対応出きるようにキャップ片１４ａ、１４ｂをスライドさせて長さ調節を可能にしたものである。
（ヘ）  図９は磁石を利用したガスコンロキャップの移動具７である。この移動具７はガスコンロキャップ１を磁着可能な金属材質で作ることにより、移動具７の磁石部１１をガスコンロキャップ１ｄの上部の略中央に当接して使用する。（図１０参照）
この移動具７は図９の示すようにスライダー８とそのスライダー８を挿入するための外ケース９とスライダー８のフランジ部８ａの下部に設けたスプリング１０とによって構成されている。また外ケース９の下端部にはリング状の磁石部１１が設けられている。
（ト）  移動具７の使用方法を図１１に示す。
コンロキャップの移動に際しては移動具７の磁石部１１をコンロキャップ１ｄの上部中央に当接し、コンロキャップを持ち上げ移動する（図１１（ａ））その後（ｂ）に示すようにスライダー８を押し下げることにより、スライダー８の下端部８ｂがコンロキャップ１ｄを押し下げ、磁石部１１がコンロキャップ１ｄから離れる。
（チ）  図１２〜図１３はコンロキャップを収納するための収納ラック１２を示したものである。この収納ラック１２は前述の移動具７をコンロキャップに装着したまま収納できるようになっており、コンロキャップの取出しがし易いように半円形状の湾曲部１２ａが設けられている。
（リ）  図１４は収納ラックの別実施例をしめすものであり、この収納ラック１３はコンロキャップを取り出し易くするために高さに変化をもたせた構造になっている。
【図面の簡単な説明】
【０００７】以下、添付図面に従って、実施例を説明する
【図１】本考案の使用状態を示す斜視図
【図２】本考案の実施例を示す斜視図であり（ａ）は上面斜視図、（ｂ）は下面斜視図である。
【図３】本考案の使用状態を示す断面図である
【図４】本考案の一実施例を示す斜視図であり、（ａ）は上面斜視図（ｂ）は下面斜視図である
【図５】コンロキャップを収納した状態の斜視図
【図６】本考案の別態様の実施例を示すものである
【図７】図６の（ａ）による実施例を使用した状態の断面図である
【図８】放熱口用のキャップを示す斜視図である
【図９】コンロキャップの移動具を示す斜視図
【図１０】移動具の使用状態を示す斜視図
【図１１】移動具の使用状態を示す断面図
【図１２】コンロキャップの収納ラックを示す斜視図
【図１３】（ａ）はコンロキャップを収納した状態の斜視図  （ｂ）はコンロキャップを１つ取り除いた状態を示す斜視図である。
【図１４】収納ラックの別態様を示す斜視図である。
【符号の説明】
Ａ・・・調理用ガステーブル
１，１ａ，１ｂ，１ｃ，１ｄ，１ｅ，１ｆ・・・ガスコンロキャップ
２・・・ガスコンロ
３・・・五徳
４・・・底部
５・・・ガスコンロキャップ
５ａ・・・外周部
５ｂ・・・取っ手
５ｃ・・・穴
６・・・フック
７・・・移動具
８・・・スライダー
８ａ・・・フランジ
８ｂ・・・下端部
８ｃ・・・突起
９・・・外ケース
９ａ・・・スライド窓
１０・・・スプリング
１１・・・磁石部
１２，１３・・・収納ラック
１２ａ，１３ａ・・・湾曲部
１４・・・放熱口キャップ
１４ａ，１４ｂ・・キャップ片
【図１】
0003150737.tif 000003
【図２】
0003150737.tif 000004
【図３】
0003150737.tif 000005
【図４】
0003150737.tif 000006
【図５】
0003150737.tif 000007
【図６】
0003150737.tif 000008
【図７】
0003150737.tif 000009
【図８】
0003150737.tif 000010
【図９】
0003150737.tif 000011
【図１０】
0003150737.tif 000012
【図１１】
0003150737.tif 000013
【図１２】
0003150737.tif 000014
【図１３】
0003150737.tif 000015
【図１４】
0003150737.tif 000016
【手続補正書】
【提出日】平成20年12月11日(2008.12.11)
【手続補正１】
【補正対象書類名】実用新案登録請求の範囲
【補正対象項目名】請求項１
【補正方法】変更
【補正の内容】
【請求項１】
ガスコンロの五徳に覆いかぶせる、深さを有するガスコンロキャップ
【手続補正２】
【補正対象書類名】実用新案登録請求の範囲
【補正対象項目名】請求項２
【補正方法】変更
【補正の内容】
【請求項２】
請求項１に記載のガスコンロキャップにおいて、
外周部に取っ手を設けたことを特徴とするガスコンロキャップ
【手続補正３】
【補正対象書類名】実用新案登録請求の範囲
【補正対象項目名】請求項３
【補正方法】変更
【補正の内容】
【請求項３】
請求項１に記載のガスコンロキャップにおいて、
下端部に磁石を有する円筒形の外ケースと、外ケースの中に挿入したスライダーと、スライダーを摺動自在に付勢するスプリングとによって構成されたガスコンロキャップの移動具を中央部に付設したことを特徴とするガスコンロキャップ
【手続補正４】
【補正対象書類名】実用新案登録請求の範囲
【補正対象項目名】請求項４
【補正方法】削除
【補正の内容】
【手続補正５】
【補正対象書類名】明細書
【補正の内容】
0003150737.tif 000017
【手続補正書】
【提出日】平成21年3月2日(2009.3.2)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ガスコンロの五徳に覆いかぶせる、深さを有するガスコンロキャップ
【請求項２】
請求項１に記載のガスコンロキャップにおいて、外周部に取っ手を設けたことを特徴とするガスコンロキャップ
【請求項３】
請求項１に記載のガスコンロキャップにおいて、下端部に磁石を有する円筒形の外ケースと、外ケースの中に挿入したスライダーと、スライダーを摺動自在に付勢するスプリングとによって構成されたガスコンロキャップの移動具を中央部に付設したことを特徴とするガスコンロキャップ
【手続補正２】
【補正対象書類名】手続補正書
【補正対象項目名】手続補正５
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、不使用時のガスコンロ（ゴトク含む）を覆い被す事を目的としたカバーであり、調理くずや飛散した油等の侵入を防ぐためのものである。
【背景技術】
【０００２】家庭用のガスコンロはガスバーナー口が開放されている為、使用していないガスコンロ口（ゴトク含む）に調理中に油や調理くずが飛びコンロ内に入り込んでしまう。清潔にし劣化をさせないためには、毎日、調理する度に入り込んでしまった調理くずを取り除き、油をふき取らなければならず、それを怠ると次回調理する時にはこびり付いてしまう。使用しないガスコンロ内とゴトクに調理くずや油が入ってしまうことやこびり付いてしまうことは、不本意であり、その清掃は大変な労力と時間の無駄であり主婦の手を煩わせストレスを溜めさせ、機器の劣化を早める。
【考案の開示】
【考案が解決しようとする課題】
【０００３】毎日の調理時に使用するガスコンロ以外の使用していないガスコンロ内（ゴトク含む）に調理くずや油の飛び散りなどからくる汚れの掃除など主婦等の労力や精神的ストレスを軽減し、ガスコンロの劣化を防ぎたい。
【課題を解決するための手段】
【０００４】毎日の調理時に、使用するガスコンロ以外の使用していないガスコンロ（ゴトク含む）にカバーキャップをし、不使用ガスコンロ（ゴトク含む）を調理くずや油の飛び散りから守る。
【考案の効果】
【０００５】使用していないガスコンロ（ゴトク含む）をカバーキャップで完全に覆い、使用しているところからの調理くずや油が中に入り込むことがなく、調理後の掃除が軽減され煩わしい清掃から開放されストレスが溜まらない、またガスコンロの劣化が防げる。
【考案を実施するための最良の形態】
【０００６】以下、本考案の実施の形態を説明する。
（イ）図１は調理用のガステーブルＡに設けられた家庭用ガスコンロ２に本考案に係るガスコンロキャップ１を装着した図である。一般的なコンロは２口もしくは３口であり、本考案のガスコンロキャップ１はそのどちらのガスコンロにも適応する様に大小２種類のサイズからなるコンロキャップである。
このガスコンロキャップ１ａ，１ｂ，１ｃは、五徳３の上部を覆いかぶす構造になっている。
（ロ）図２は、本考案によるガスコンロキャップ１の構造を示す。ガスコンロキャップ１は（ｂ）に示すように、やや深さをもった構造になっており、底部４が五徳にかぶせた際に五徳上部に接するようになっている。（図３参照）
（ハ）図４はガスコンロキャップ５の外周部５ａに取っ手５ｂを設けた構造をしており、この取っ手５ｂに設けられた穴５ｃを図５に示すように壁等に施設したフック６に掛けておくことにより収納することが出来る。
（ニ）図６は本考案にかかるガスコンロキャップ１の別態様を示すものであり、ガステーブルＡ上に施設されているガスコンロ２を全て覆いかぶす形状をしている。（ａ），（ｂ）はフライパンを伏せた様な形状であり（ｃ）は角型にしたものである。ガスコンロをすっぽり覆うことにより、ガスコンロキャップ下部からの調理くずや油かすの回り込みを防ぐことが出来る。（図７参照）
（ホ）図８は、調理用ガステーブルＡの放熱口１５を覆うためのキャップである。
この放熱口キャップ１４は（ａ）に示すように放熱口の形状に適応した細長状カバーであり、（ｂ）は長さの異なる放熱口にも対応出来るようにキャップ片１４ａ，１４ｂをスライドさせて長さ調節を可能にしたものである。
（ヘ）図９は磁石を利用したガスコンロキャップの移動具７である。この移動具７はガスコンロキャップ１を磁着可能な金属材質で作ることにより、移動具７の磁石部１１をガスコンロキャップ１ｄの上部の略中央に当接して使用する。（図１０参照）
この移動具７は図９に示すようにスライダー８とそのスライダー８を挿入するための外ケース９とスライダー８のフランジ部８ａの下部に設けたスプリング１０とによって構成されている。また外ケース９の下端部にはリング状の磁石部１１が設けられている。
（ト）移動具７の使用方法を図１１に示す。
コンロキャップの移動に際しては移動具７の磁石部１１をコンロキャップ１ｄの上部中央に当接し、コンロキャップを持ち上げ移動する（図１１（ａ））その後（ｂ）に示すようにスライダー８を押し下げることにより、スライダー８の下端部８ｂがコンロキャップ１ｄを押し下げ、磁石部１１がコンロキャップ１ｄから離れる。
【図面の簡単な説明】
【０００７】以下、添付図面に従って、実施例を説明する。
【図１】本考案の使用状態を示す斜視図
【図２】本考案の実施例を示す斜視図であり（ａ）は上面斜視図、（ｂ）は下面斜視図である。
【図３】本考案の使用状態を示す断面図である。
【図４】本考案の一実施例を示す斜視図であり、（ａ）は上面斜視図（ｂ）は下面斜視図である。
【図５】コンロキャップを収納した状態の斜視図
【図６】本考案の別態様の実施例を示すものである。
【図７】図６の（ａ）による実施例を使用した状態の断面図である。
【図８】放熱口用のキャップを示す斜視図である
【図９】コンロキャップの移動具を示す斜視図
【図１０】移動具の使用状態を示す斜視図
【図１１】移動具の使用状態を示す断面図
【符号の説明】
【０００８】  Ａ・・・調理用ガステーブル
１，１ａ，１ｂ，１ｃ，１ｄ，１ｅ，１ｆ  ・・・ガスコンロキャップ
２・・・ガスコンロ
３・・・五徳
４・・・底部
５・・・ガスコンロキャップ
５ａ・・・外周部
５ｂ・・・取っ手
５ｃ・・・穴
６・・・フック
７・・・移動具
８・・・スライダー
８ａ・・・フランジ
８ｂ・・・下端部
８ｃ・・・突起
９・・・外ケース
９ａ・・・スライド窓
１０・・・スプリング
１１・・・磁石部
１４・・・放熱口キャップ
１４ａ，１４ｂ・・・キャップ片
【手続補正３】
【補正対象書類名】手続補正書
【補正対象項目名】手続補正６
【補正方法】変更
【補正の内容】
【手続補正３】
【補正対象書類名】図面
【補正対象項目名】図１２
【補正方法】削除
【補正の内容】
【手続補正４】
【補正対象書類名】手続補正書
【補正対象項目名】手続補正６
【補正方法】変更
【補正の内容】
【手続補正４】
【補正対象書類名】図面
【補正対象項目名】図１３
【補正方法】削除
【補正の内容】
【手続補正５】
【補正対象書類名】手続補正書
【補正対象項目名】手続補正６
【補正方法】変更
【補正の内容】
【手続補正５】
【補正対象書類名】図面
【補正対象項目名】図１４
【補正方法】削除
【補正の内容】
【手続補正６】
【補正対象書類名】手続補正書
【補正対象項目名】手続補正２
【補正方法】削除
【補正の内容】
【手続補正７】
【補正対象書類名】手続補正書
【補正対象項目名】手続補正３
【補正方法】削除
【補正の内容】
【手続補正８】
【補正対象書類名】手続補正書
【補正対象項目名】手続補正４
【補正方法】削除
【補正の内容】